(57)【特許請求の範囲】
【請求項１】
矩形の底板と該底板の各辺からテーパー状に立ち上がる前側板、後側板、両横側板の４つの台形の側板とからなるトレー状の容器本体部分と、蓋部分とから構成され、
隣接する前記側板の隣接する内角の角度が同一であり、
前記両横側板に、下辺の両端から上方に前記下辺に直角に一対の平行な折れ線をそれぞれ設け、該折れ線を内側に折り込むことによって、前記折れ線の間の横側板中央部を直角に起こし、同時に、前記前側板および前記後側板を直角に起こして内容積を直方体形状とすることを可能としたことを特徴とするテーパーボックス。
【請求項２】
前記横側板中央部の上辺に折り曲げ片を設けたことを特徴とする請求項１に記載のテーパーボックス。
【発明の詳細な説明】
【０００１】
【産業上の利用分野】
食品、菓子などを包装するテーパーボックスの改良に関するものであり、さらに詳しくは、内容物を収納する前に組み立てた状態でスタッキングして保管でき、収納後には積み重ねることが可能な形態のテーパーボックスに関するものである。
【０００２】
【従来の技術】
従来より、食品、菓子などで内容物を簡単に収納できる側面が斜めに形成されているいわゆるテーパーボックスは、内容物を収納する前段階において、組み立てた状態でスタッキングして保管でき、スペースを広くとる必要のない形状であることから、市場で広く使用されている。また、若干の保温、一時的にせよ、別の場所までの移動や運搬を行う場合には、内容物の落下を防ぎ、また外圧による変形、潰れからの保護のために、蓋付きのテーパーボックスを使うことが多い。
【０００３】
【発明が解決しようとする課題】
しかしながら、上記の一般的な蓋付きのテーパーボックスでは、内容物を収納した後に複数個を積み重ねて保管および運搬することは、強度が不十分であり、困難であるという問題があった。
【０００４】
本発明は、従来のテーパーボックスを改良して、内容物を収納する前に組み立てた状態でスタッキングして重ねて保管でき、内容物を収納した後には、蓋部分を被せて積み重ねることが可能なテーパーボックスを提供することを目的とするものである。
【０００５】
【課題を解決するための手段】
上記の課題を解決するための本発明は、矩形の底板と該底板の各辺からテーパー状に立ち上がる前側板、後側板、両横側板の４つの台形の側板からなるトレー状の容器本体部分と、蓋部分とから構成され、隣接する前記側板の隣接する内角の角度が同一であり、前記両横側板に、下辺の両端から上方に前記下辺に直角に一対の平行な折れ線をそれぞれ設けて、該折れ線を内側に折り込むことによって、前記折れ線の間の横側板中央部を直角に起こし、同時に、前記前側板および前記後側板を直角に起こして内容積を直方体形状とすることを可能としたことを特徴とするテーパーボックスである。また、前記横側板中央部の上辺に折り曲げ片を設けたことを特徴としている。
【０００６】
本発明によれば、内容物を収納する前には、組み立てた状態がトレー形状でありスタッキングして重ねて保管でき、内容物を収納した後には、直方体形状に変形することにより、上部からの圧縮強度が強く、蓋部分を被せて積み重ねることが可能なテーパーボックスを提供することができる。
【０００７】
【発明の実施の形態】
本発明によるテーパーボックスの発明の実施の形態について、図を用いて、詳細に説明する。
【０００８】
図１は、本発明によるテーパーボックスの実施の形態の一実施例を示す斜視図である。図１−ａは、内容物を収納する前の使用直前時の状態を示す斜視図であり、図１−ｂは、内容物を収納した後の状態を示す斜視図である。本発明のテーパーボックス１は、図１−ａに示すように、内容物を収納する前の段階では、一般的な蓋付きのテーパーボックスと同様に、トレー状である容器本体部分２と、蓋部分３とからなり、容器本体部分２は矩形の底板１１を中心に各辺からテーパー状に立ち上がる前側板１２、後側板１３、横側板１４、１４の４つの上方に広がる台形の側板からなり、スタッキングして重ねることができ、保管時にスペースを多く必要としない形態となっている。内容物を収納した後では、本発明のテーパーボックス１は、図１−ｂに示すように、直方体形状となっている。
【０００９】
図２−ａは、テーパーボックス１のブランクの展開図である。ブランク１０は、使用時にはトレー状となる容器本体部分２と、蓋部分３とからなり、容器本体部分２は、矩形の底板１１を中心に前辺には折れ線ａを介して台形の前側板１２を連設し、後辺には折れ線ｂを介して台形の後側板１３を連設し、両側辺には折れ線ｃ、ｃを介してそれぞれ台形の横側板１４、１４を連設し、その横側板１４、１４の両側辺には折れ線ｄ、ｄ、ｄ、ｄを介して糊代片１５、１５、１５、１５を連設している。前側板１２と後側板１３は、同形の台形であり、両横側板１４、１４は同形の台形であり、かつ、前側板１２と後側板１３の台形と、両横側板１４、１４の台形の対応する位置のそれぞれの内角を同一の角度としている。従って、隣接する側板の隣接する内角の角度が同一となっている。
【００１０】
また、糊代片１５、１５、１５、１５の形状は、三角形、台形、半円形などとし、特に限定されるものではない。また、この糊代片１５、１５、１５、１５は、本実施例では、横側板１４、１４の両側辺に連設しているが、前側板１２の両側辺および後側板１３の両側辺に連設してもよい。
【００１１】
さらに、図２−ｂのブランク１０´に示すように、横側板１４、１４と前側板１２および後側板１３の両側板を糊代片１５、１５、１５、１５で連結した形状としてもよく、その場合には、斜め中央に折れ線ｊ、ｊ、ｊ、ｊを設けて折り込める形状とする。
【００１２】
また、横側板１４、１４には、折れ線ａを延長して折れ線ｅ、ｅを、折れ線ｂを延長して折れ線ｆ、ｆを設け、この折れ線ｅと折れ線ｆの間の部分をそれぞれ横側板中央部１４ａ、１４ａとし、折れ線ｅと折れ線ｆの外側の部分をそれぞれ横側板折り込み部１４ｂ、１４ｂ、１４ｂ、１４ｂとしている。そして、横側板１４、１４の辺の折れ線ｅと折れ線ｆとの間の位置、つまり横側板中央部１４ａ、１４ａに折れ線ｇ、ｇを介してそれぞれ折り曲げ片１６、１６を連設している。この折り曲げ片１６、１６は折り曲げることにより、横側板１４、１４を補強することができる。
【００１３】
つぎに、蓋部分３は、容器本体部分２の後側板１３に、折れ線ｈを介して蓋板１７を連設して容器本体部分２と連結している。その蓋板１７には、折れ線ｉを介して蓋折り曲げ片１８を連設している。この蓋折り曲げ片１８には中央部には差し込み片１８ａを設け、前側板１２には差し込み片１８ａに対応する位置に差し込み口１２ａを設けている。蓋折り曲げ辺１８の形状は、台形、半円形など、特に限定されるものではない。また、差し込み片１８ａも必ずしも必要なものではなく、蓋折り曲げ片１８を容器本体の内側に差し込んでもよい。
【００１４】
なお、本実施例では、容器本体部分２と蓋部分３とを連結して一体としているが、容器本体部分２と蓋部分３とを連結せずに別々としてもよく、例えば、蓋部分３をコの字状の被せ蓋形状とすることもできる。
【００１５】
つぎに、図２に示した展開されたブランク１０から本実施の形態のテーパーボックス１を組立てる工程、そして、内容物を収納、包装して、保管、輸送するなどの実際に使用する方法について図を用いて説明する。
【００１６】
まず、ブランク１０の状態から、内容物を収納する前の状態のテーパーボックス形状のテーパーボックス１に組み立てるが、まず、図３に示すように、前側板１２、後側板１３、両横側板１４、１４をそれぞれ上方に起こして各糊代片１５、１５、１５、１５と前側板１２および後側板１３とを貼り合わせて図１に示すようなトレー状の容器本体部分２を成形したテーパーボックス１を作製する。この加工は、一般的なボックスメーキングマシーンで行うことができる。この組み立てた状態のテーパーボックス１は、スタッキングして重ねることができるためスペースを多く取ることがなく、従って、内容物を収納する直前までの保管、輸送などをこの状態で行うことが省スペースの点から有効である。
【００１７】
つぎに、実際にテーパーボックス１を使用するには、内容物４を収納する直前に、スタッキングして重ねられた状態のテーパーボックス１を一個づつ取り外し、両横側板１４、１４において、図４に示すように、両横側板１４、１４の折れ線ｅ、ｅ、ｅ、ｅを内側に折り込み、両横側板１４、１４の横側板折り込み部１４ｂ、１４ｂを折れ線ｄ、ｄで内側に折り曲げて横側板中央部１４ａ、１４ａをさらに起こして底板１１に直角とする。同時に、前側板１２および後側板１３も底板１１に直角とする。このことによって、容器本体部分２の内容積部分はトレー形状から直方体形状とすることができる。この状態で内容物４を収納し、そして、折り曲げ片１６、１６を外側あるいは内側に折り曲げて、蓋板１７を被せ、蓋折り曲げ片１８を下方に折り曲げ、差し込み片１８ａを前側板１２の差し込み口１２ａに差し込み、内容物４の収納、包装が完了する。
【００１８】
図１−ｂに示すような内容物４を収納したテーパーボックス１は、一般の直方体形状のカートンと同様に積み重ねることができる。また、横方向においても、隣接するカートンとの間にスペースをあけることなく、効率的に集積包装ができる。
【００１９】
内容物４を収納したテーパーボックス１は、一般の直方体形状のカートンと同様にして積み重ねることができる。また、横方向においてもスペースを空けることなく並べることができる。
【００２０】
【発明の効果】
上述したように、本発明のテーパーボックスは、内容物を収納する前の段階では、一般的なテーパーボックスと同様に、容器本体がトレー形状となっていることから、組み立てた状態でスタッキングして重ねて保管でき、保管に場所を取らず、輸送コストも安くなる。また、本発明のテーパーボックスは、内容物を収納した後では、トレー形状から直方体形状に変形され、そのことによって、上部からの圧縮強度が強く、蓋部分を被せて複数段に積み重ねることができるという効果を有している。さらに、横方向においてもスペースを空けることなく並べることができるという効果をも有している。
【図面の簡単な説明】
【図１】本発明によるテーパーボックスの一実施例を示す斜視図である。
【図２】本発明のテーパーボックスの一実施例のブランクの展開図を示す図である。
【図３】本発明のテーパーボックスの一実施例を組み立てる過程を示す図である。
【図４】本発明のテーパーボックスの一実施例を使用する時の組み立てを説明する図である。
【符号の説明】
１    テーパーボックス
２    容器本体部分
３    蓋部分
４    内容物
１０    ブランク
１０´  ブランク
１１    底板
１２    前側板
１２ａ  差し込み口
１３    後側板
１４    横側板
１４ａ  横側板中央部
１４ｂ  横側板折り込み部
１５    糊代片
１６    折り曲げ片
１７    蓋板
１８    蓋折り曲げ片
１８ａ  差し込み片
ａ〜ｊ  折れ線
【図１】
0004647841.tif 000002
【図２】
0004647841.tif 000003
【図３】
0004647841.tif 000004
【図４】
0004647841.tif 000005